(57)【要約】      （修正有）【課題】コンパクトで、空気の浄化能力が高い空気清浄機及び喫煙ボックスを提供する。【解決手段】空気清浄機は、筐体と、筐体に装着され、外部からの空気を吸い込む吸込みが設けられた蓋体６１と、吸込み口に対応する位置に設けられたフィルタ層７０と、フィルタ層７０の風路の先設けられ、内部に空気を吸排出するためのファン９０と、フィルタ層７０の背面に位置する枠体であって、フィルタ層７０の少なくとも一部が接触するよう設けられ、フィルタ層を通った空気をファン９０に導くための空間８３を形成する枠体８０と、枠体８０によって形成された空間８３からファン９０に空気を導く空気導入口８５と、ファン９０の上部であって、フィルタ層７０の横側に設けられ、ファン９０から排出された空気を外部へ導く排出経路と、を備える。【選択図】図１１
2020165589.tif 000002
【特許請求の範囲】
【請求項１】
空気清浄機であって、
筐体と、
前記筐体に装着され、外部からの空気を吸い込む吸込み口が設けられた蓋体と、
前記吸込み口に対応する位置に設けられたフィルタ層と、
前記フィルタ層の風路の先に設けられ、内部に空気を吸排出するためのファンと、
前記フィルタ層の背面に位置する枠体であって、前記フィルタ層の少なくとも一部が接触するよう設けられ、前記フィルタ層を通った空気を前記ファンに導くための空間を形成する枠体と、
前記枠体によって形成された空間から前記ファンに空気を導く空気導入口と、
前記フィルタ層の横側に設けられ、前記ファンから排出された空気を外部へ導く排出経路と、
を備える空気清浄機。
【請求項２】
前記フィルタ層は、複数のフィルタを含み、
前記複数のフィルタを束ねて前記枠体に固定する固定部材を有する、請求項１に記載の空気清浄機。
【請求項３】
前記フィルタ層は、
エアフィルタと、
前記エアフィルタの前記蓋体側に設けられた第１フィルタと、
前記エアフィルタの前記枠体側に設けられる第２フィルタと、
を含む、請求項１又は請求項２に記載の空気清浄機。
【請求項４】
前記エアフィルタは、ＪＩＳ Ｚ ８１２２ によって規定され、定格風量で粒径が０．３ μｍの粒子に対して９９．９７％以上の粒子捕集率を持つエアフィルタである、
請求項３に記載の空気清浄機。
【請求項５】
前記第１フィルタのさらに蓋体側に設けられる第３フィルタを有する請求項３又は請求項４に記載の空気清浄機。
【請求項６】
前記第１フィルタ及び前記第２フィルタは、活性炭を含むフィルタである、請求項３から請求項５のいずれか１項に記載の空気清浄機。
【請求項７】
前記第１フィルタ及び前記第２フィルタは、
前記フィルタの外枠を構成する外フレームと、
活性炭が内部に収容された小部屋を水平及び垂直方向にそれぞれ複数個形成する内フレームと、
前記小部屋に収容された活性炭を閉じ込めるとともに、前記活性炭が外部に出ないよう微細な孔が多数形成されるシート部材と、を備え、
前記内フレームは、
前記水平方向に形成された小部屋をそれぞれ仕切る第１フレーム部と、
前記垂直方向に形成された小部屋をそれぞれ仕切らない第２フレーム部と、
を有し、
前記垂直方向に形成された小部屋に収納された活性炭は、他の垂直方向に形成された小部屋に移動可能である、請求項６に記載の空気清浄機。
【請求項８】
前記外フレームは、前記垂直方向の一番上の小部屋を構成するフレーム部分に設けられ、前記垂直方向の一番上の小部屋に収納された活性炭の一部を前記フレーム部分内に収めることができる第１凹部が形成されている、請求項７に記載の空気清浄機。
【請求項９】
前記第１フレーム部は、それぞれの小部屋に収納された活性炭の一部を前記第１フレーム部内に収めることができる第２凹部が形成されている、請求項７又は請求項８に記載の空気清浄機。
【請求項１０】
喫煙ボックスであって、
請求項１から請求項９のいずれか１項に記載の空気清浄機を有する喫煙ボックス。
【発明の詳細な説明】
【技術分野】
【０００１】
本発明は、空気清浄機及び喫煙ボックスに関する。
【背景技術】
【０００２】
近年、非喫煙者への配慮から喫煙者が利用する喫煙ボックスが提案されている（特許文献１〜５）。
特許文献１の喫煙ボックスは、ガイドレールとフィルタを有し、上部に吸気装置を設けてなる集煙部を設け、ガイドレールに沿って開閉可能なる仕切幕を吊持することにより、外部と隔離された喫煙空間の区画形成を可能としたものである。
【０００３】
特許文献２の喫煙ボックスは、一面に開閉扉を備えたボックス本体を有し、そのボックス本体の上部に吸気ファンを設け、床板の下方に排気ファンと、含水フィルタを設け、その含水フィルタを通過したボックス内の空気を外部へ排出する排気口を備えるというものである。
【０００４】
特許文献３の喫煙ボックスは、部屋内の一端に吸込口を設け他端の天井部下に吸込口に向かう気流を形成する吹出口を設け、且つ天井部上に排気筒を設けて、更に吸込口と吹出口及び排気筒との間の気密空間内に空気清浄機及びファンを設けるというものである。
【先行技術文献】
【特許文献】
【０００５】
【特許文献１】特開２００８−１５７００８号公報
【特許文献２】特開２００７−１８２７２３号公報
【特許文献３】特開２００６−    ３０５８号公報
【発明の概要】
【発明が解決しようとする課題】
【０００６】
しかしながら、従来の喫煙ボックスでは、喫煙空間内を清浄しているものの、喫煙空間内の空気を十分に清浄できているとは言えず、喫煙空間以外にタバコの匂い等が漏れてしまうという問題があった。
また、空気の清浄効果を高めると喫煙ボックス自体が大型化してしまうという問題があった。
【０００７】
そこで、本発明は、上記事情に鑑みてなされたものであり、コンパクトで、空気の浄化能力が高い空気清浄機及び喫煙ボックスを提供することを目的とする。
【課題を解決するための手段】
【０００８】
上記課題を解決するために、（１）本発明の空気清浄機は、筐体と、前記筐体に装着され、外部からの空気を吸い込む吸込み口が設けられた蓋体と、前記吸込み口に対応する位置に設けられたフィルタ層と、前記フィルタ層の風路の先に設けられ、内部に空気を吸排出するためのファンと、前記フィルタ層の背面に位置する枠体であって、前記フィルタ層の少なくとも一部が接触するよう設けられ、前記フィルタ層を通った空気を前記ファンに導くための空間を形成する枠体と、前記枠体によって形成された空間から前記ファンに空気を導く空気導入口と、前記フィルタ層の横側に設けられ、前記ファンから排出された空気を外部へ導く排出経路と、を備える。
【０００９】
（２）（１）の構成において、前記フィルタ層は、複数のフィルタを含み、前記複数のフィルタを束ねて前記枠体に固定する固定部材を有する。
【００１０】
（３）（１）又は（２）の構成において、前記フィルタ層は、エアフィルタと、前記エアフィルタの前記蓋体側に設けられた第１フィルタと、前記エアフィルタの前記枠体側に設けられる第２フィルタと、を含む。
【００１１】
（４）（３）の構成において、前記エアフィルタは、ＪＩＳ Ｚ ８１２２によって規定され、定格風量で粒径が０．３ μｍの粒子に対して９９．９７％以上の粒子捕集率を持つエアフィルタである。
【００１２】
（５）（３）又は（４）の構成において、前記第１フィルタのさらに蓋体側に設けられる第３フィルタを有する。
【００１３】
（６）（３）から（５）のいずれか1項の構成において、前記第１フィルタ及び前記第２フィルタは、活性炭を含むフィルタである。
【００１４】
（７）（６）の構成において、前記第１フィルタ及び前記第２フィルタは、前記フィルタの外枠を構成する外フレームと、活性炭が内部に収容された小部屋を水平及び垂直方向にそれぞれ複数個形成する内フレームと、前記小部屋に収容された活性炭を閉じ込めるとともに、前記活性炭が外部に出ないよう微細な孔が多数形成されるシート部材と、を備え、  前記内フレームは、前記水平方向に形成された小部屋をそれぞれ仕切る第１フレーム部と、  前記垂直方向に形成された小部屋をそれぞれ仕切らない第２フレーム部と、を有し、前記垂直方向に形成された小部屋に収納された活性炭は、他の垂直方向に形成された小部屋に移動可能である。
【００１５】
（８）（７）の構成において、前記外フレームは、前記垂直方向の一番上の小部屋を構成するフレーム部分に設けられ、前記垂直方向の一番上の小部屋に収納された活性炭の一部を前記フレーム部分内に収めることができる第１凹部が形成されている。
【００１６】
（９）（７）又は（８）の構成において、前記第１フレーム部は、それぞれの小部屋に収納された活性炭の一部を前記第１フレーム部内に収めることができる第２凹部が形成されている。
【００１７】
（１０）本発明の喫煙ボックスは、（１）から（９）のいずれかに記載の空気清浄機を有する喫煙ボックスである。
【発明の効果】
【００１８】
本発明によれば、従来よりも浄化能力が高い空気清浄機用フィルタ及び空気清浄機用フィルタ構造体を提供することができる。
【図面の簡単な説明】
【００１９】
【図１】本発明の実施形態に係る喫煙ボックスの斜視図である。
【図２】本発明の実施形態に係る喫煙ボックスの正面図である。
【図３】本発明の実施形態に係る喫煙ボックスの右側面図である。
【図４】本発明の実施形態に係る喫煙ボックスの左側面図である。
【図５】本発明の実施形態に係る喫煙ボックスの平面図である。
【図６】図２のＢ−Ｂ断面図である。
【図７】本発明の実施形態に係る空気清浄機の斜視図である。
【図８】本発明の実施形態に係る空気清浄機の正面図である。
【図９】本発明の実施形態に係る空気清浄機の左側面図である。
【図１０】本発明の実施形態に係る空気清浄機の右側面図である。
【図１１】図８のＣ−Ｃ断面図である。
【図１２】図８のＢ−Ｂ断面図である。
【図１３】図８のＡ−Ａ断面図である。
【図１４】本発明の実施形態に係る空気清浄機の蓋体を外した状態の斜視図である。
【図１５】本発明の実施形態に係る空気清浄機の蓋体を外した状態の正面図である。
【図１６】本発明の実施形態に係る空気清浄機の筐体の蓋体と前面パネルとフィルタ層を外した状態の下方から見た斜視図である。
【図１７】本発明の実施形態に係る空気清浄機の筐体の蓋体と前面パネルとフィルタ層を外した状態の上方から見た斜視図である。
【図１８】本発明の実施形態に係る空気清浄機の筐体の蓋体と前面パネルとフィルタ層を外した状態の正面図である。
【図１９】本発明の実施形態に係る空気清浄機の筐体の蓋体と前面パネルとフィルタ層を外した状態を上方から見た斜視図であって、図１７とは反対側からみた斜視図である。
【図２０】本発明の実施形態に係る空気清浄機で用いられるフィルタ層の分解図である。
【図２１】本発明の実施形態に係る空気清浄機で用いられるフィルタ層のうちエアフィルタの（ａ）正面図、（ｂ）斜視図である。
【図２２】本発明の実施形態に係る空気清浄機で用いられるフィルタ層のうち第３フィルタの（ａ）正面図、（ｂ）斜視図である。
【図２３】本発明の実施形態に係る空気清浄機用の第１フィルタ１の正面図である。
【図２４】本発明の実施形態に係る空気清浄機用の第１フィルタ１の右側面図である。
【図２５】本発明の実施形態に係る空気清浄機用のフィルタ１０の正面図である。
【図２６】本発明の実施形態に係る空気清浄機用のフィルタ１０の背面図である。
【図２７】本発明の実施形態に係る空気清浄機用のフィルタ１０の平面図である。
【図２８】本発明の実施形態に係る空気清浄機用のフィルタ１０の底面図である。
【図２９】本発明の実施形態に係る空気清浄機用のフィルタ１０の右側面図である。
【図３０】図２５のＡ−Ａ断面図である。
【図３１】図３０のＣ−Ｃ部分の拡大図である。
【図３２】図３０に示すフィルタ１０に活性炭を入れた状態を示す図である。
【図３３】図２５のＢ−Ｂ断面図である。
【図３４】図３３のＤ−Ｄ部分の拡大図である。
【図３５】図３３に示すフィルタ１０に活性炭を入れた状態を示す図である。
【発明を実施するための形態】
【００２０】
以下、添付図面を参照して、本発明の実施形態について詳細に説明するが、これらは例示の目的で掲げたものであり、これらにより本発明を限定するものではない。なお、実施形態の説明の全体を通して同じ要素には同じ符号を付する。
【００２１】
図１は、本発明の実施形態に係る喫煙ボックスの斜視図である。図２は、本発明の実施形態に係る喫煙ボックスの正面図である。図３は、本発明の実施形態に係る喫煙ボックスの右側面図である。図４は、本発明の実施形態に係る喫煙ボックスの左側面図である。
図５は、本発明の実施形態に係る喫煙ボックスの平面図である。図６は、図２のＢ−Ｂ断面図である。
【００２２】
図１〜図６に示すように、本実施形態の喫煙ボックス５０は、喫煙空間を形成するボックス５０ａと、ボックス５０ａによって形成される喫煙空間内の空気を清浄する空気清浄機６０と、を有する。この喫煙ボックス５０は、例えば遊技場等の屋内に設置することもできるし、屋外に設置することもできる。
【００２３】
ボックス５０ａは、天井パネル５１と、上段フレーム５２、フレーム５３ａ〜５３ｅと、強化ガラス５４と、下段パネル５５と、を有する。
【００２４】
図２に示すように、空気清浄機６０には、吸込み口６１ａが設けられている蓋体６１が設けられている。この蓋体６１の吸込み口６１ａから吸いこまれた空気が内部のフィルタで浄化されて、図１、図５及び図６に示す排出口９２が喫煙ボックス５０外に排出される。
【００２５】
図６に示すように、喫煙ボックス５０の天井パネル５１には、人感センサ５５と、ＬＥＤ照明５６とが設けられており、喫煙ボックス５０内の喫煙空間内に人が入ってくると、人感センサ５５によって検出され、ＬＥＤ照明５６が点灯するとともに、空気清浄機６０が待機状態から動作状態に移行し、喫煙空間内の空気が清浄される。また、人感センサ５５が喫煙ボックス５０内の喫煙空間内に人がいないことを検出すると、ＬＥＤ照明５６が消灯し、所定の時間が経過後、空気清浄機６０の動作が停止する。この制御は、喫煙ボックス５０の制御部及び空気清浄機６０の制御部によって制御されている。
【００２６】
詳細は後述するが、図６に示すように、蓋体６１の裏側にはフィルタ層７０が設けられており、このフィルタ層７０の更に背面側には所定の空間８３を形成する枠体８０が設けられている。吸込み口６１ａから吸入された空気は、フィルタ層７０を通って枠体８０によって形成された空間８３から枠体８０の下に設けられているファン９０に吸入されて、排出口９２から外部へ排出される。
【００２７】
次に、本発明の実施形態に係る空気清浄機について説明する。
図７は、本発明の実施形態に係る空気清浄機の斜視図である。図８は、本発明の実施形態に係る空気清浄機の正面図である。図９は、本発明の実施形態に係る空気清浄機の左側面図である。図１０は、本発明の実施形態に係る空気清浄機の右側面図である。図１１は、図８のＣ−Ｃ断面図である。図１２は、図８のＢ−Ｂ断面図である。図１３は、図８のＡ−Ａ断面図である。
【００２８】
図７〜図１３に示すように、本実施形態の空気清浄機６０は、筐体と、蓋体６１と、フィルタ層７０と、ファン９０と、枠体８０と、空気導入口８５と、後述する排出経路９１と、を備える。
筐体は、前面パネル６２、左パネル６３、右パネル６４及び背面パネル６２から構成されている。
蓋体６１には、外部からの空気を吸入する吸込み口６１ａが複数設けられている。
【００２９】
フィルタ層７０は、蓋体６１の吸込み口６１ａに対応する位置に設けられている。蓋体６１の吸込み口６１ａから吸い込まれた空気はフィルタ層７０に導かれる。
ファン９０は、フィルタ層７０の風路の先（ここでは下部）に位置するよう設けられ、内部に空気を吸排出するためのものである。
【００３０】
枠体８０は、フィルタ層７０の背面の蓋体６１とは反対側に位置し、フィルタ層７０の少なくとも一部（ここでは第２フィルタ１ａ）が接触するよう設けられ、フィルタ層７０を通った空気をファン９０に導くための空間８３を形成するものである。
空気導入口８５は、枠体８０によって形成された空間８３からファン９０に空気を導くものである。
排出経路９１は、ファン９０の上部であって、フィルタ層７０の横側に設けられ、ファン９０から排出された空気を排出口９２から外部へ導くものである（図１４等参照）。
【００３１】
図１１に示すように、蓋体６１の裏側にはフィルタ層７０が設けられており、このフィルタ層７０の更に背面側には所定の空間８３を有する枠体８０が設けられている。
吸込み口６１ａから吸入された空気は、フィルタ層７０を通って枠体８０によって形成された空間８３から枠体８０の下に設けられているファン９０に吸入されて、排出口９２から外部へ排出される。
図１３に示すように、空気清浄機６０のファン９０の下の空間には、制御部や配線が収納されている。
【００３２】
次に、蓋体６１を外した状態の空気清浄機６０について説明する。図１４は、本発明の実施形態に係る空気清浄機の蓋体を外した状態の斜視図である。図１５は、本発明の実施形態に係る空気清浄機の蓋体を外した状態の正面図である。
【００３３】
図１４及び図１５に示すように、空気清浄機６０のフィルタ層７０は、吸込み口６１ａを有する蓋体６１の背面側に位置するように配置されている。フィルタ層７０の下側には上述したようにファン９０が設けられており、フィルタ層７０の右側にはファン９０から排出された空気を排出口９２に導く排出経路９１が設けられている。
【００３４】
フィルタ層７０は、複数のフィルタ（エアフィルタ７１、第１フィルタ１、第２フィルタ１ａ、第３フィルタ７２）を含んで構成されており、複数のフィルタから構成されるフィルタ層７０を束ねて枠体８０に固定する固定プレート８１ａ〜８１ｃ、プレート留め具８２ａ〜８２ｃを有する。
この固定プレート８１ａ〜８１ｃと、プレート留め具８２ａ〜８２ｃが固定部材を構成する。
【００３５】
フィルタ層７０を枠体８０に固定する際には、枠体８０側からみて第２フィルタ１ａ、エアフィルタ７１、第１フィルタ１、第３フィルタ７２の順に並べ、第２フィルタ１ａを枠体８０に接触させて、固定プレート８１ａ〜８１ｃをプレート留め具８２ａ〜８２ｃで留めることで、フィルタ層７０の枠体８０への固定が完了する。
なお、ここでは固定部材の例としてプレート状のものを例にとって説明しているが、固定部材はプレート状のものに限る必要はなく、フィルタ層７０を固定することができるものであれば、ゴムやベルト等によって構成することができる。
【００３６】
次に、筐体の蓋体６１と前面パネル６２とフィルタ層７０を外した状態の空気清浄機６０について説明する。図１６は、本発明の実施形態に係る空気清浄機の筐体の蓋体と前面パネルとフィルタ層を外した状態の下方から見た斜視図である。図１７は、本発明の実施形態に係る空気清浄機の筐体の蓋体と前面パネルとフィルタ層を外した状態の上方から見た斜視図である。図１８は、本発明の実施形態に係る空気清浄機の筐体の蓋体と前面パネルとフィルタ層を外した状態の正面図である。図１９は、本発明の実施形態に係る空気清浄機の筐体の蓋体と前面パネルとフィルタ層を外した状態を上方から見た斜視図であって、図１７とは反対側からみた斜視図である。
【００３７】
図１６〜図１９に示すように、フィルタ層７０の背面側には、箱体８０が設けられている。この箱体８０は、壁部８０ａ、壁部８０ｂ、壁部８０ｃ及び底部８０ｄによって構成されている。壁部８０ａ、壁部８０ｂ、壁部８０ｃ及び底部８０ｄによって、フィルタ層７０を通った空気をファン９０に導くための空間８３が形成されている。
【００３８】
箱体８０のファン９０側の位置には、壁部が設けられておらず、その位置には空気導入口８５が設けられており、この空気導入口８５により枠体８０によって形成された空間８３からファン９０に空気が導かれる。
【００３９】
フィルタ層７０の後ろの枠体８０によって形成される空間８３をフィルタ層７０の大きさと同じ程度の大きさにすることができため、大容量のフィルタ層７０を通すことができる。これによって浄化能力を高めることができる。また、ファン９０をフィルタ層７０の下側に配置することができるため、空気清浄機６０を薄型にすることができる。
【００４０】
次に、フィルタ層７０について説明する。図２０は、本発明の実施形態に係る空気清浄機で用いられるフィルタ層の分解図である。図２１は、本発明の実施形態に係る空気清浄機で用いられるフィルタ層のうちエアフィルタの（ａ）正面図、（ｂ）斜視図である。図２２は、本発明の実施形態に係る空気清浄機で用いられるフィルタ層のうち第３フィルタの（ａ）正面図、（ｂ）斜視図である。
【００４１】
図２０〜図２１に示すように、フィルタ層７０は、エアフィルタ７１と、エアフィルタ７１の蓋体６１側に設けられた第１フィルタ１と、エアフィルタ７１の枠体８０側に設けられる第２フィルタ１ａと、第１フィルタ１のさらに蓋体６１側に設けられる第３フィルタ７２と、を有する。第１フィルタ１、エアフィルタ７１、第２フィルタ１ａ及び第３フィルタ７２は外形的に略同じ大きさにすることが好ましい。
【００４２】
エアフィルタ７１は、タバコの煙成分を除去するものであり、ＪＩＳ Ｚ ８１２２によって規定され、定格風量で粒径が０．３ μｍの粒子に対して９９．９７％以上の粒子捕集率を持つエアフィルタである。エアフィルタ７１は、高性能微粒子除去フィルタ(HEPA:  High Efficiency  Particulate  Air  Filter)などで構成されており、ガラス繊維によるさえぎり、慣性によるガラス繊維への接触、重力による沈降、ブラウン運動及び静電気力によって煙草の煙を構成する微粒子を除去することができる。
【００４３】
第１フィルタ１及び第２フィルタ１ａは、煙草の匂い成分を除去するものである。
エアフィルタ７１の前面に第１フィルタ１と、エアフィルタ７１の背面に第２フィルタ１ａを配置することで、煙草の匂い成分を除去することができる。第１フィルタ１及び第２フィルタ１ａについては、詳細は後述するが、同じフィルタによって構成することもできるが、別のフィルタによって構成することもできる。
第３フィルタ７２は、空気中に含まれる径の荒い粒子を除去するフィルタである。
なお、本実施形態のフィルタ層７０は、４つのフィルタを有する例について説明しているが、フィルタの数が種類は適宜変更が可能である。
【００４４】
図２３は、本発明の実施形態に係る空気清浄機用の第１フィルタ１の正面図である。図２４は、本発明の実施形態に係る空気清浄機用の第１フィルタ１の右側面図である。
なお、以下の図において、図３２及び図３５はフィルタ内に活性炭を入れた状態を示しているが、その他の図のフィルタは、内部の活性炭を図示せずに説明する。実際には、フィルタ内の小部屋にはフィルタが充填されている。
【００４５】
図２３及び図２４に示すように、本発明の実施形態に係る空気清浄機用の第１フィルタ１は、フィルタ１０と、フィルタ１０に接続されるフィルタ２０とによって構成されている。第２フィルタ１ａも第１フィルタ１と同じ構成である。
【００４６】
図２４に示すように、フィルタ１０及びフィルタ２０は、それぞれ、垂直方向に位置する一方の端部に設けられる凹部１０ａ、２０ａと、垂直方向に位置する他方の端部に設けられる凸部１０ｂ、２０ｂを備えている。
フィルタ１０の凹部１０ａと、フィルタ２０の凸部２０ｂを係合させてフィルタ１０とフィルタ２０を接続することができる。
【００４７】
フィルタ１０及びフィルタ２０は、相手方のフィルタと接触する箇所に設けられる緩衝部材１０ｃ、２０ｃを有し、緩衝部材１０ｃ、２０ｃは、相手方フィルタと接触する基部１０ｄ、２０ｄ部分より相手方フィルタ側に１ｍｍ〜３ｍｍ程度突出して設けられている。
緩衝部材１０ｃ、２０ｃは、ゴムやスポンジなどの弾性変形する材料で構成されている。
【００４８】
図２５は、本発明の実施形態に係る空気清浄機用のフィルタ１０の正面図である。図２６は、本発明の実施形態に係る空気清浄機用のフィルタ１０の背面図である。図２７は、本発明の実施形態に係る空気清浄機用のフィルタ１０の平面図である。図２８は、本発明の実施形態に係る空気清浄機用のフィルタ１０の底面図である。図２９は、本発明の実施形態に係る空気清浄機用のフィルタ１０の右側面図である。
【００４９】
図２５〜図２９に示すように、フィルタ１０は、外フレーム１１と、内フレーム１２、１３と、シート部材１４、１８と、によって構成されている。
外フレーム１１は、フィルタ１０の外枠を構成するものであり、上フレーム１１ａ、右フレーム１１ｂ、下フレーム１１ｃ及び左フレーム１１ｄによって構成されている。上フレーム１１ａ、右フレーム１１ｂ、下フレーム１１ｃ及び左フレーム１１ｄは、一体成形されている。
【００５０】
内フレーム（１２、１３）は、活性炭が内部に収容された小部屋１６ａ〜１６ｐを水平及び垂直方向にそれぞれ複数個形成するものである。
内フレームは、表側内フレーム１２と、裏側内フレーム１３とから構成されており、本実施形態では、裏側内フレーム１３は、外フレーム１１と一体成形されている。裏側内フレーム１３は、外フレーム１１と別体であってもよいし、表側内フレーム１２が外フレーム１１と一体成形されていてもよい。
【００５１】
表側内フレーム１２は、図２５に示すように、縦方向に延びる第１フレーム部１２ｆ〜１２ｊと、横方向に延びる第２フレーム部１２ａ〜１２ｅと、を有する。
裏側内フレーム１３は、図２６に示すように、縦方向に延びる第１フレーム部１３ｆ〜１３ｊと、横方向に延びる第２フレーム部１３ａ〜１３ｅとを有する。
【００５２】
裏側内フレーム１３は、縦方向に延びる第１フレーム部１３ｆ〜１３ｊのうち第１フレーム部１３ｇ〜１３ｉから、表側内フレームの第１フレーム部１２ｇ、１２ｈ、１２ｉに向かって伸び、隣り合う小部屋を仕切るための壁部１３ｇ１、１３ｈ１、１３ｉ１が形成されている（後述の図３３で詳述する）。
一方、裏側内フレーム１３は、横方向に延びる第２フレーム部１３ｂ〜１３ｄからは、表側内フレームの第２フレーム部１２ｂ、１２ｃ、１２ｄに向かって延びる壁部は設けられていない（後述の図３０で詳述する）。これによって、縦方向に連続する４つの小部屋１６ａ〜１６ｄ、１６ｅ〜１６ｈ、１６ｉ〜１６ｌ、１６ｍ〜１６ｐは、連通しており、活性炭が縦方向に連続する小部屋１６ａ〜１６ｄと、１６ｅ〜１６ｈと、１６ｉ〜１６ｌ、１６ｍ〜１６ｐを移動することができるよう構成されている。
表側内フレーム１２及び裏側内フレーム１３は、接着剤や複数のネジ等によって固定されている。
【００５３】
シート部材１４、１８は、小部屋に収容された活性炭を閉じ込めるとともに、活性炭が外部に出ないよう微細な孔が多数形成されている。
シート部材１４は、表側内フレーム１２の第１フレーム１２ｆ〜１２ｊ及び第２フレーム１２ａ〜１２ｅに、それぞれに接着又は溶着されている。また、シート部材１８は、裏側内フレーム１３の第１フレーム１３ｆ〜１３ｊ及び第２フレーム１３ａ〜１３ｅのそれぞれに接着又は溶着されている。
図２５及び図２６に示す例では、シート部材１４、１８を接着剤により表側内フレーム１２及び裏側内フレーム１３に接着している例を示している。
【００５４】
図２４及び図２９に示すように、フィルタ１０は、それぞれ、垂直方向に位置する一方の端部に設けられる凹部１０ａと、垂直方向に位置する他方の端部に設けられる凸部１０ｂとを備えている。
フィルタ１０の凹部１０ａと、フィルタ２０の凸部２０ｂを係合させてフィルタ１０とフィルタ２０を接続することができる。
【００５５】
フィルタ１０及びフィルタ２０は、相手方のフィルタと接触する箇所に緩衝部材１０ｃ、２０ｃが設けられており、この緩衝部材１０ｃ、２０ｃは、外フレームのうち相手方フィルタと接触する部分より相手側フィルタ側に例えば０．５ｍｍ〜５ｍｍ程度突出して設けられている。
これにより、緩衝部材１０ｃ、２０ｃを介してフィルタ１０とフィルタ２０が接続された場合に、ガタつくことなく、安定して接続状態を維持することができる。
【００５６】
図３０は、図２５のＡ−Ａ断面図である。図３１は、図３０のＣ−Ｃ部分の拡大図である。図３２は、図３０に示すフィルタに活性炭を入れた状態を示す図である。
図３０に示すように、裏側内フレーム１３は、横方向に延びる第２フレーム部１３ｂ〜１３ｄから、表側内フレーム１２に向かって伸びる壁部は設けられていない。
このため、図３２に示すように、縦方向に連続する小部屋１６ａ〜１６ｄ、１６ｅ〜１６ｈ、１６ｉ〜１６ｌ、１６ｍ〜１６ｐは、連通しており、活性炭が縦方向に連続する小部屋１６ａ〜１６ｄ、１６ｅ〜１６ｈ、１６ｉ〜１６ｌ、１６ｍ〜１６ｐを移動することができるよう構成されている。
【００５７】
また、図３２に示すように、外フレーム１１の上フレーム１１ａは、垂直方向の一番上の小部屋１６ａ、１６ｅ、１６ｉ、１６ｍを構成するフレーム部分には、垂直方向の一番上の小部屋１６ａ、１６ｅ、１６ｉ、１６ｍに収納された活性炭の一部をフレーム部分内に収めることができる第１凹部１７ａが形成されている。
この第１凹部１７ａの位置に活性炭を十分に充填しておくことで、活性炭を各小部屋１６ａ〜１６ｐに詰めた後に、フィルタ１０を立てた状態にして、一部の活性炭が下の小部屋に移動しても、第１凹部１７ａの収められた活性炭が下に移動することはあっても、活性炭を通らずに通過する空気を無くすことができる。
【００５８】
この第１凹部１７ａが無いと仮定すると、フィルタを立てた状態にしたときに、活性炭が下の小部屋に下がってしまうため、最上流の小部屋の一番上は、活性炭が無い領域ができてしまう。そうすると、活性炭を通らない空気がフィルタを通過してしまうこととなり、十分な空気清浄ができないこととなる。
【００５９】
図３３は、図２５のＢ−Ｂ断面図である。図３４は、図３３のＤ−Ｄ部分の拡大図である。図３５は、図３３に示すフィルタ１０に活性炭を入れた状態を示す図である。
図３３に示すように、裏側内フレーム１３は、縦方向に延びる第１フレーム部１３ｇ、１３ｈ、１３ｉから、この第１フレーム１３ｇ、１３ｈ、１３ｉに沿って隣り合う小部屋を仕切るための壁部１３ｇ１、１３ｈ１、１３ｉ１が形成されている。
このため、図３５に示すように、横方向に連続する小部屋間１６ｂ、１６ｆ、１６ｉ、１６ｎは、仕切られており、横方向で隣り合う小部屋１６ｂ、１６ｆ、１６ｉ間で活性炭が移動することはない。
【００６０】
図３４に示すように、第１フレーム部１３ｆ、１３ｇ、１３ｈ、１３ｉ、１３ｊは、それぞれの小部屋１６に収納された活性炭の一部を第１フレーム部１３ｆ、１３ｇ、１３ｈ、１３ｉ、１３ｊ内に収めることができる第２凹部１９ａ、１９ｂ、１９ｃ等が形成されている。
図３４では、３つの第２凹部１９ａ、１９ｂ、１９ｃについて示しているが、すべての小部屋に第２凹部が設けられている。
【００６１】
この第２凹部１９ａ、１９ｂ、１９ｃの位置に活性炭を十分に充填しておくことで、活性炭を各小部屋１６ａ〜１６ｐに詰めた後に、フィルタを立てた状態にして、一部の活性炭が下の小部屋に移動したときに、各小部屋内の活性炭が移動しても、活性炭を通らずに通過する空気を無くすことができる。
この第２凹部１９ａ、１９ｂ、１９ｃが無いと仮定した場合、フィルタを立てた状態にしたときに、活性炭が移動したときに、活性炭が無い領域ができてしまうため、活性炭を通らない空気がフィルタを通過してしまうこととなり、十分な空気清浄ができない。
本発明の実施形態によれば、従来よりも浄化能力が高い空気清浄機用フィルタを提供することができる。
【００６２】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００６３】
５０  喫煙ボックス
６０  空気清浄機
７０  フィルタ層
７１  エアフィルタ
７２  第２フィルタ
８０  枠体
９０  ファン
９１  排出経路
１    第１フィルタ
１ａ  第２フィルタ
１０  フィルタ
２０  フィルタ
１１  外フレーム
１２、１３  内フレーム
１２ｆ〜１２ｊ、１３ｆ〜１３ｊ    第１フレーム部
１２ａ〜１２ｅ、１３ａ〜１３ｅ    第２フレーム部
１４、１８  シート部材
１６ａ〜１６ｐ  小部屋
１７ａ    第１凹部
１９ａ、１９ｂ、１９ｃ  第２凹部
１０ａ、２０ａ  凹部
１０ｂ、２０ｂ  凸部
１０ｃ、２０ｃ  緩衝部材
【図１】
2020165589.tif 000003
【図２】
2020165589.tif 000004
【図３】
2020165589.tif 000005
【図４】
2020165589.tif 000006
【図５】
2020165589.tif 000007
【図６】
2020165589.tif 000008
【図７】
2020165589.tif 000009
【図８】
2020165589.tif 000010
【図９】
2020165589.tif 000011
【図１０】
2020165589.tif 000012
【図１１】
2020165589.tif 000013
【図１２】
2020165589.tif 000014
【図１３】
2020165589.tif 000015
【図１４】
2020165589.tif 000016
【図１５】
2020165589.tif 000017
【図１６】
2020165589.tif 000018
【図１７】
2020165589.tif 000019
【図１８】
2020165589.tif 000020
【図１９】
2020165589.tif 000021
【図２０】
2020165589.tif 000022
【図２１】
2020165589.tif 000023
【図２２】
2020165589.tif 000024
【図２３】
2020165589.tif 000025
【図２４】
2020165589.tif 000026
【図２５】
2020165589.tif 000027
【図２６】
2020165589.tif 000028
【図２７】
2020165589.tif 000029
【図２８】
2020165589.tif 000030
【図２９】
2020165589.tif 000031
【図３０】
2020165589.tif 000032
【図３１】
2020165589.tif 000033
【図３２】
2020165589.tif 000034
【図３３】
2020165589.tif 000035
【図３４】
2020165589.tif 000036
【図３５】
2020165589.tif 000037